(57)【特許請求の範囲】
【請求項１】
袋体の両側部にサイドシールを備えているとともに袋体上部側の開口部にはスライダー付きのチャックを備えている合成樹脂製袋体において、
前記スライダーを介して閉じられるチャックの閉じ端部側と前記サイドシール上端部側とがなす袋体隅角部には、三つの辺を有する三角形の気密シールが施されていること、および、
前記三角形の気密シールにおける三つの辺について、その一辺が前記チャックの長さ方向に沿う横向きの直線状をなすものであり、他の一辺が前記サイドシールの長さ方向に沿う縦向きの直線状をなすものであり、さらに、残る一辺が、前記チャック側から前記サイドシール側に向けて下降傾斜する直線状のものと、前記チャック側から前記サイドシール側に向けて下降傾斜する凹円弧状のものとのうちから選択されたいずれかであること
を特徴とするスライダー付き合成樹脂製袋体。
【請求項２】
スライダーを介して閉じられるチャックの閉じ端部側であって、しかも、そのチャックの表面には、スライドしたスライダーを袋体隅角部の気密シールの範囲内で停止させるためのストッパが設けられており、かつ、そのスライダーが、気密シールと相互に隣接するサイドシールから幅をあけた位置にあること
を特徴とする請求項１に記載のスライダー付き合成樹脂製袋体。
【発明の詳細な説明】
【技術分野】
【０００１】
本発明は、スライダーによるチャックの閉じ端部の気密性を保持したスライダー付き合成樹脂製袋体に関するものである。
【背景技術】
【０００２】
図３で示すようにサイドシール２され、開口部にスライダー４によって開閉されるチャック３を備えた合成樹脂製袋体１において、前記スライダー４によるチャック３の閉じ端部には図４でも示すようにスライダー４内先端の開口ガイド８によってチャック３の端部を分離しているため、これによりチャック３の閉じ端部には袋体内外を連通する隙間７ができてエアーが出入りし気密性に難点があり、通気を嫌う内容物においては変質等の不具合をもたらしていた。
【０００３】
前記スライダー４によるチャック３の閉じ端部の隙間７をスライダー４とチャック３の形状、構造によって防止して気密性を保持するようにした発明が提供されているが、スライダー４とチャック３を特別な形状、構造としなくてはならずコスト高となる上に確実な密閉性は期待できないという問題を有している。
【特許文献１】ＷＯ２００３−０２２６９７公報
【特許文献２】特開２００４−０８３０６８公報
【発明の開示】
【発明が解決しようとする課題】
【０００４】
本発明は、スライダー及びチャックの何れも一般的な形状、構造でチャックの閉じ端部の気密性を確保したスライダー付き合成樹脂製袋体を提供することである。
【課題を解決するための手段】
【０００５】
上記の課題を解決するための本発明は、
袋体の両側部にサイドシールを備えているとともに袋体上部側の開口部にはスライダー付きのチャックを備えている合成樹脂製袋体において、
前記スライダーを介して閉じられるチャックの閉じ端部側と前記サイドシール上端部側とがなす袋体隅角部には、三つの辺を有する三角形の気密シールが施されていること、および、
前記三角形の気密シールにおける三つの辺について、その一辺が前記チャックの長さ方向に沿う横向きの直線状をなすものであり、他の一辺が前記サイドシールの長さ方向に沿う縦向きの直線状をなすものであり、さらに、残る一辺が、前記チャック側から前記サイドシール側に向けて下降傾斜する直線状のものと、前記チャック側から前記サイドシール側に向けて下降傾斜する凹円弧状のものとのうちから選択されたいずれかであること
を特徴とするものである。
【０００６】
既述の課題を解決するための本発明は、また、上記に記載されたスライダー付き合成樹脂製袋体において、
スライダーを介して閉じられるチャックの閉じ端部側であって、しかも、そのチャックの表面には、スライドしたスライダーを袋体隅角部の気密シールの範囲内で停止させるためのストッパが設けられており、かつ、そのストッパが、気密シールと相互に隣接するサイドシールから幅をあけた位置にあること
を特徴とするものである。
【発明の効果】
【０００７】
本発明によると、スライダー及びチャックの何れも一般的な形状、構造でチャックの閉じ端部側における袋体隅角部に気密シールを施す簡単な構造により気密性を確保したスライダー付き合成樹脂製袋体を低コストにて提供可能とした効果を有している。
【発明を実施するための最良の形態】
【０００８】
以下本発明を実施するための最良の形態を図面に基づいて説明する。図１及び図２において１は両側がサイドシール２された合成樹脂製の袋体であり、その開口部２の上端縁には再開閉するための雌雄咬合型チャック３（天チャック）と、このチャック３を開閉するスライダー４が摺動可能にチャック３に設けられている。これらチャック３及びスライダー４は特別な形状、構造ではなく、一般的な従来周知の形状、構造である。
【０００９】
本発明は、上記合成樹脂製の袋体１において、前記スライダー４によるチャック３の閉じ端部側におけるチャック３とサイドシール２とに渡る袋体隅角部に気密シール５を施したことを特徴とするものである。
【００１０】
上記気密シール５は図示では三角形であるが、チャック３とサイドシール２とに渡る三角形の底辺を凹円弧状として、チャック３の閉じ端部における袋体内外を連通する隙間７が閉塞される形状でもよい。
【００１１】
さらに、前記スライダー４によるチャック３の閉じ端部側にスライドしたスライダー４を袋体隅角部の気密シール５の範囲内で停止させるストッパ６をチャック３に設けたことを特徴とするものである。
【００１２】
前記ストッパ６は図２で示すように、スライダー４をチャック３に装着するために必要とするサイドシール２から幅Ｂをあけた位置に設けられることが望ましい。
【００１３】
本発明は上記の通りの構造であるから、図１においてスライダー４を左側へのスライドでは雌雄咬合しているチャック３は開放し、図１で示すようにスライダー４が右端にスライドした状態ではチャック３が閉じられる。
【００１４】
そこで、従来ではスライダー４がチャック３の閉じ端部側にスライドした状態においては図３及び図４で示すように、チャック３の端部に袋体内外を連通する隙間７が形成するが、本発明ではチャック３の閉じ端部側におけるチャック３とサイドシール２とに渡る袋体隅角部に気密シール５が施されているため、スライダー４がストッパ６により気密シール５の範囲内で停止したチャック３の閉じ状態においてチャック３の端部に袋体内外を連通する隙間ができることがなく気密状態を保持する。
【００１５】
尚、スライダー４内先端には咬合したチャック３を分離するための開口ガイド８を有しているが、このガイド８の長さはチャック３の厚味相当であるから気密シール５に干渉することがなく気密シール５の範囲内で停止する。
【００１６】
このように、本発明はチャック３の閉じ端部側におけるチャック３とサイドシール２とに渡る袋体隅角部に気密シール５が施す簡単な構造により実現を可能とし、特別な形状、構造のスライダーやチャックを用いることなくチャック３の閉じ状態においてチャック３の端部に袋体内外を連通する隙間ができることがなく気密状態を保持することができ、低コストで提供する利点を有している。
【図面の簡単な説明】
【００１７】
【図１】本発明による袋体の正面図
【図２】本発明の要部拡大斜視図
【図３】従来例を示す要部斜視図
【図４】従来例のチャックの閉じ端部を袋体内側より視た図
【符号の説明】
【００１８】
１      袋体
２      サイドシール
３      チャック
４      スライダー
５      気密シール
６      ストッパ  
【図１】
0005000152.tif 000002
【図２】
0005000152.tif 000003
【図３】
0005000152.tif 000004
【図４】
0005000152.tif 000005